(57)【要約】      （修正有）【課題】保護部材としてのクッション性を有し、見た目に美しく、しかも取り外しが可能なエレベータのかご内壁の防護・装飾材を提供する。【解決手段】板状芯材１、クッション材２、ニードルパンチ不織布３及び表皮材４がこの順に積層、接着されてなり、表皮材は他の材料の側面を被覆して芯材の裏面の外周部まで延伸されており、且つ、防護・装飾材の裏面の少なくとも外周部には磁石が貼り付けられているエレベータかごの内壁防護・装飾材を使用する。【選択図】図４
0003138309.tif 000002
【実用新案登録請求の範囲】
【請求項１】
板状芯材、クッション材、ニードルパンチ不織布及び表皮材がこの順に積層、接着されてなり、表皮材は他の材料の側面を被覆して前記芯材の裏面の外周部まで延伸されており、且つ、前記防護・装飾材の裏面の少なくとも外周部には磁石が貼り付けられていることを特徴とするエレベータかごの内壁防護・装飾材。
【請求項２】
前記芯材及び／又はニードルパンチ不織布が難燃剤を含有する、請求項１に記載のエレベータかごの内壁防護・装飾材。
【請求項３】
前記芯材が、発泡合成樹脂製、非発泡合成樹脂製、金属製、紙パルプ製又はコルク製である、請求項１又は２に記載のエレベータかごの内壁防護・装飾材。
【請求項４】
前記芯材が、硬質又は半硬質発泡ポリウレタン製、発泡ポリプロピレン製、発泡ポリスチレン製又は発泡ポリスチレン製である、請求項３に記載のエレベータかごの内壁防護・装飾材。
【請求項５】
前記芯材が硬質塩化ビニール製である、請求項３に記載のエレベータかごの内壁防護・装飾材。
【考案の詳細な説明】
【技術分野】
【０００１】
本考案は、エレベータかごの内壁に磁石によって貼付されて使用される、エレベータかごの内壁防護・装飾材に関する。
【背景技術】
【０００２】
エレベータは、建造物に取り付けられた後、長期間にわたって使用される。その使用の間、引越し等による荷物の運搬の際などに、その出入り口やかごの内壁に傷が付くことがある。そのような傷つきを防止するために、エレベータかごの内壁には、保護用の部材が貼付される。このような保護部材は、引越し等の際のみならず、恒常的にエレベータのかご内壁に貼付されている場合も多い。
【０００３】
エレベータかごの内壁を保護するための部材としては、一般に、ニードルパンチ不織布製の保護材が使用されているが、この保護材は、見た目が悪く、且つ、当該保護材自体の重みのためにずり落ちることもあるという問題がある。
【０００４】
また、特許文献１には、エレベータかごの内壁保護用としても使用することが出来る発光性装飾カーペットが開示されている。しかし、このカーペットは、一般的なカーペット素地に発光性塗料で文字、図形、模様、写真等を印刷したものであり、保護部材としてのクッション性が十分であるとはいえず、また、外観も必ずしも満足のいくものであるとはいえない。
【０００５】
さらに、エレベータかごの内壁保護部材は、重量が大きいと、エレベータの定員を減らさなくてはならなくなるので、軽量であることが好ましい。
【０００６】
一方、消防法によると、エレベータ内部に設置される付属品は、取り外しが可能であることと、防炎性能を有することが求められている。
【０００７】
【特許文献１】特開２００２−１４２９５６
【考案の開示】
【考案が解決しようとする課題】
【０００８】
本考案は、保護部材としてのクッション性を有し、見た目に美しく、しかも軽量で取り外しが可能なエレベータかごの内壁の防護・装飾材を提供することを目的とする。また、本考案は、前記エレベータかごの内壁の防護・装飾材であって、特に防炎性能に優れるものを提供することを目的とする。
【課題を解決するための手段】
【０００９】
上記目的を達成するために、本考案者は鋭意検討し、以下の考案を完成させた。
【００１０】
即ち、本考案は、板状芯材、クッション材、ニードルパンチ不織布及び表皮材がこの順に積層、接着されてなり、表皮材は他の材料の側面を被覆して前記芯材の裏面の外周部まで延伸されており、且つ、前記防護・装飾材の裏面の少なくとも外周部には磁石が貼り付けられていることを特徴とするエレベータかごの内壁防護・装飾材に関する。
【００１１】
前記芯材は、例えば、発泡合成樹脂製、非発泡合成樹脂製、金属製、紙パルプ製又はコルク製である。
【００１２】
防炎性能の観点からは、前記芯材及び／又はニードルパンチ不織布が難燃剤を含有するものであることが好ましく、また、芯材が硬質塩化ビニール製であることが特に好ましい。
【００１３】
前記防護・装飾材を軽量のものとするためには、芯材として、プラスチック・フォーム、具体的には、硬質又は半硬質発泡ポリウレタン製、発泡ポリプロピレン製、発泡ポリスチレン製又は発泡ポリスチレン製のものを用いることが好ましい。
【考案の効果】
【００１４】
本考案により、保護部材として要求されるクッション性を有し、取り外しが可能なエレベータかごの内壁の防護・装飾材が提供される。
【００１５】
本考案のエレベータかごの内壁の防護・装飾材は、取り外しが可能であるから、汚れが付着したり経年劣化した場合には、簡単に取り替えることが出来る。
【００１６】
本考案のエレベータかごの内壁の防護・装飾材においては、表皮材の選択により、様々なデザインが可能であり、よって、本考案により、エレベータかご内部のデザイン選択の幅が広がり、また、エレベータに乗車した際に、従来の保護部材を使用した場合のような無味乾燥な印象を味わう必要がなくなり、エレベータがグレード・アップされる。
【００１７】
本考案のエレベータかごの内壁の防護・装飾材であって、軽量なものは、エレベータかごの搭乗定員への影響が小さいという利点もある。
【００１８】
また、本考案のエレベータかごの内壁の防護・装飾材の中には、防炎性能に優れるものがあり、よって、本考案は、消防法の規定を充足する商品を提供できる。
【考案を実施するための最良の形態】
【００１９】
以下に、本考案を詳細に説明する。初めに、本考案の防護・装飾材の製造に使用される
各部材について説明する。
【００２０】
本考案の防護・装飾材において、芯材は、板状のものである。芯材は、必要な強度を有する限り、材質は限定されないが、例を挙げると、発泡合成樹脂、非発泡合成樹脂、金属、紙パルプ、コルク等がある。
【００２１】
発泡合成樹脂製のものは、軽量であるという特徴を有する。発泡合成樹脂の具体例を挙げると、硬質又は半硬質発泡ポリウレタン、発泡ポリプロピレン、発泡ポリスチレンがある。硬質又は半硬質発泡ポリウレタンの中では、柔軟性に優れる半硬質発泡ポリウレタンが好ましい。
【００２２】
芯材に使用される非発泡合成樹脂の例を挙げると、ナイロン樹脂、アセタール系樹脂、ポリエチレン樹脂、ポリプロピレン樹脂、ポリエチレンテレフタレート等のポリエステル樹脂、（メタ）アクリル樹脂、ポリカーボネート樹脂、硬質塩化ビニール樹脂、ＡＢＳ樹脂、スチレン樹脂等がある。
【００２３】
芯材に金属を使用する場合には、強度や防錆性の観点から、ステンレスが特に好ましい。
【００２４】
また、芯材に紙パルプやコルクを用いると、エレベータかごの内壁防護・装飾材が軽量となる。
【００２５】
エレベータかごの内壁防護・装飾材が軽量となること、緩衝性能（クッション性）を有せしめることができること及び難燃剤を使用することで消防法で規定する防炎性能を有せしめることができることといった観点から、芯材の材料として、発泡合成樹脂を使用することが好ましい。また、それ自体防炎性能に優れる硬質塩化ビニール製の芯材も好ましい。
【００２６】
なお、本件明細書において、「防炎性能に優れる」とは、消防法施行令第４条の３第４項及び第５項、消防法施行規則第４条の３第３後乃至第７項に規定された試験法（４５°エアー・ミックス・バーナー法）において規定された合格基準に達する、又は、垂直難燃試験（ＵＬ１５８１）に合格するものであることをいう。
【００２７】
発泡又は非発泡合成樹脂製芯材の製造に際して使用することのできる難燃剤は、この分野で使用することができるものである限り特に限定されないが、例を挙げると、含塩素系リン酸エステル類、臭素系ポルオール、縮合リン酸エステル系、ポリリン酸系、エチレンジアミンリン酸亜鉛系等がある。
【００２８】
合成樹脂製芯材を用いる場合には、その密度は、４５０ｋｇ／ｍ３以下であることが好ましく、３５０ｋｇ／ｍ３以下であることがさらに好ましく、２００ｋｇ／ｍ３以下であることが特に好ましい。
【００２９】
芯材の一表面上には、クッション材が配される。このクッション材は、少なくとも空気による緩衝性能を示すものである。具体例を挙げると、一般的には梱包材として使用されている、二枚のポリマーシートを部分的に融着又は接着によって結合させ、非結合部位には空気又は空気及びスポンジを閉じ込めてなるものが挙げられる。また、ポリマーシート部分の材質としては、ポリ塩化ビニル、ポリエチレン、ポリエステル、ナイロン等が例示される。
【００３０】
クッション材の、芯材とは反対側の表面には、ニードルパンチ不織布が配される。ここで、「ニードルパンチ不織布」とは、ニードルパンチ法を実施して製造された不織布を指し、したがって、ニードルパンチ後に、他の方法で加工されたものであってもよい。他の加工方法の例としては、樹脂の塗布、サーマルボンド法の実施等が挙げられる。
【００３１】
ニードルパンチ不織布の原材料としては、ポリプロピレン、ポリエチレン、ポリエステル、レーヨン等が挙げられるが、ポリエチレンテレフタレート系ポリエステルが好ましい。
【００３２】
本考案では、不織布は、坪量（目付け）が５０乃至１，２００ｇ／ｍ２のものが好ましく、７０乃至１，０００ｇ／ｍ２のものがさらに好ましい。
【００３３】
本考案で使用するニードルパンチ不織布は、難燃剤を含有するものであることが好ましい。難燃剤は、一般的には、不織布の製造に使用する合成繊維を製造するための樹脂組成物中に含有させる。また、ニードルパンチ後に樹脂を塗布又は含浸させる際に、難燃剤含有樹脂組成物を使用してもよい。ポリエチレン、ポリプロピレン等のポリオレフィン系樹脂は、難燃剤の受容性が高い。ニードルパンチ不織布の製造に際して使用される難燃剤の例としては、水酸化アルミニウムや水酸化マグネシウムが挙げられる。
【００３４】
ニードルパンチ不織布も、難燃剤を含有するものであって、消防法施行令第４条の３第４項及び第５項、消防法施行規則第４条の３第３後乃至第７項に規定された試験法（４５°エアー・ミックス・バーナー法）において規定された合格基準に達する、又は、垂直難燃試験（ＵＬ１５８１）に合格するものであることが好ましい。
【００３５】
表皮材の材料は、他の材料を被覆できるような柔軟性があり、容易には破れない強度がある限り、特に限定されない。その材料の例として、合成皮革、天然皮革、ポリマーシート、織物、編物、紙等が挙げられるが、合成皮革や、耐炎繊維（例えばアクリル繊維）又は難燃繊維製の織物が特に好ましい。
【００３６】
本考案では、各材料は、接着剤で相互に接着される。接着剤の種類は、接着しようとする二つの材料に親和性があるもの、即ち所望の接着性能が発揮されるものであれば、特に限定されない。
【００３７】
磁石は、一般的に「プラスチック磁石」と呼称されているものを使用する。プラスチック磁石には、磁性を示す素材そのものがプラスチックであるものと、ポリマー組成物中に磁性材料を含有せしめて適当な形状に成形したものとがあるが、いずれであってもよい。プラスチック磁石の中で、その磁石が貼り付けられるエレベータかご内壁の材料に悪影響を与えないものや、耐熱温度の高い（例えば２００℃程度）ものが好ましい。
【実施例】
【００３８】
次に、図面に示す実施例に基づき、本考案の防護・装飾材の構造を説明する。図１は、本考案の防護・装飾材の一例を示す正面図、図２はその裏面図、図３はその斜視図、そして図４は、図１におけるＸ−Ｘ線の断面図である。
【００３９】
本考案の防護・装飾材１００においては、板状芯材１、クッション材２、ニードルパンチ不織布３及び表皮材４がこの順に積層されている。また、これらの構成材の各々は、互いに接着されている。板状芯材１の厚さは、１乃至１０ｍｍ程度であり、クッション材２の厚さは、０．１乃至５ｍｍ程度であり、ニードルパンチ不織布３の厚さは、３乃至１０ｍｍ程度であり、表皮材４の厚さは、０．１乃至２ｍｍ程度である。また、総厚（但し、プラスチック磁石の厚さを除く）は、３乃至１５ｍｍ程度である。
【００４０】
表皮材４は、他の材料１，２，３の側面を被覆して、板状芯材１の裏面の外周部まで延伸されている。即ち、図２において破線で示されている位置まで、表皮材４が板状芯材１の裏面を覆っている。表皮材４の末端は、板状芯材１の裏面の外周部に到達していればよい。
【００４１】
防護・装飾材１００の裏面の外周部全体には、プラスチック磁石５が貼り付けられている。プラスチック磁石５の厚さは、０．５乃至１０ｍｍ程度である。プラスチック磁石５は、裏面の少なくとも外周部に存在することが必要であるが、防護・装飾材１００が大きい場合等には、さらに、裏面の内部にも、適宜プラスチック磁石５を貼り付けるとよい。
【００４２】
本考案の防護・装飾材１００は、エレベータかごの内壁に、プラスチック磁石５の力によって貼り付けて使用される。エレベータかごの一つの内壁に、一枚の防護・装飾材１００が貼り付けられてもよいし、二枚以上の防護・装飾材１００が貼り付けられてもよい。図５は、６枚の防護・装飾材１００，１００，１００，１００，１００，１００が、エレベータかごの一つの内壁に貼付された状態を示している。
【００４３】
また、図６に示すように、表皮材４が防護・装飾材２００の正面を構成する部分に、縫い目６等による模様をつけてもよい。
【００４４】
本考案の防護・装飾材の大きさは、エレベータかごの内壁三面（二側面＋奥の正面）の各々について、１枚以上の防護・装飾材を使用して新たな内壁が形成できる大きさであればよい。また、その平面形状は、長方形に限定されず、一つの面につき２枚以上の防護・装飾材を使用して新たな内壁を形成する場合には、個々の防護・装飾材は、例えば直角三角形や台形であってもよい。エレベータかごの内壁の一つの面に２枚以上の防護・装飾材を貼付する場合には、それらの防護・装飾材の大きさは、互いに同じであっても異なっていてもよい。
【００４５】
なお、エレベータかごの内壁に操作盤や手すりがある場合には、防護・装飾材の操作盤や手すりに対応する個所をくりぬく。
【図面の簡単な説明】
【００４６】
【図１】本考案の防護・装飾材の一例を示す正面図である。
【図２】図１に示す防護・装飾材の裏面図である。
【図３】図１に示す防護・装飾材の斜視図である。
【図４】図１に示す防護・装飾材の断面図である。
【図５】本考案の防護・装飾材６枚が、エレベータかごの内壁の一つの面に貼付された状態を示す正面図である。
【図６】本考案の防護・装飾材の他の一例を示す正面図である。
【符号の説明】
【００４７】
１    板状芯材
２    クッション材
３    ニードルパンチ不織布
４    表皮材
５    プラスチック磁石
１００，２００    エレベータかごの内壁防護・装飾材  
【図１】
0003138309.tif 000003
【図２】
0003138309.tif 000004
【図３】
0003138309.tif 000005
【図４】
0003138309.tif 000006
【図５】
0003138309.tif 000007
【図６】
0003138309.tif 000008